(57)【要約】      （修正有）【課題】スパンが長い等のトラス構造体特有の特徴を活かし、しかも、外装材の支持が強固であると共に、外観意匠が外装材と上弦材からなる斬新な意匠の外装材架設構造を提供する。【解決手段】外装材を架台２で支持する外装材架設構造において、前記架台は、上弦材３、下弦材、斜材５からなる立体トラス構造体からなり、前記立体トラス構造体の上接合部から上受け金具７を、下接合部から下受け金具９を、それぞれ前記斜材５に沿うように延出し、前記対角状の上受け金具７と下受け金具９とに渡り外装材１５，１７を架設してある。【選択図】図２
2005290834.tif 000002
【特許請求の範囲】
【請求項１】
外装材を架台で支持する外装材架設構造において、
前記架台は、上弦材、下弦材、斜材からなる立体トラス構造体からなり、
前記立体トラス構造体の上接合部から上受け金具を、下接合部から下受け金具を、それぞれ前記斜材に沿うように延出し、
前記対角状の上受け金具と下受け金具とに渡り外装材を架設することを特徴とする外装材架設構造。
【請求項２】
上接合部に、隣接状の外装材上端部に跨る棟部材を、下接合部に、隣接状の外装材下端部に渡る樋部材を、それぞれ配設してあることを特徴とする外装材架設構造。
【請求項３】
外装材は、透光性材であることを特徴とする請求項１または２記載の外装材架設構造。
【発明の詳細な説明】
【技術分野】
【０００１】
本発明は屋根や壁等の外装材架設構造に関する。
【背景技術】
【０００２】
従来の外装材架設構造では、屋根面意匠は屋根パネルのみにより形成されているのが一般的である。
例えば、特許文献１に記載されている「屋根パネルの取付構造」では、架台としてのトラス構造体における上弦材に屋根パネルを固定して形成しているもので、この屋根面意匠は、外観を構成する屋根パネルのみにより形成されているところの切妻、片流れ等の一般的な屋根面意匠のものになっている。
ところで、トラス構造体からなる架台は、スパンを長く取れる、軽量に仕上げられる、構造強度を十分に確保できる等の特徴があり、その有用性は高いものがある。
【特許文献１】特開平７−２５９２３７号公報
【発明の開示】
【発明が解決しようとする課題】
【０００３】
解決しようとする課題は、第１には、スパンが長い等のトラス構造体特有の特徴を活かし、しかも、外装材の支持が強固であると共に、外観意匠が外装材と上弦材からなる斬新な意匠の外装材架設構造を、第２には、さらに、雨仕舞および排水機能に優れる外装材架設構造を、第３には、さらに、外装材下側或いは内側が明るい外装材架設構造を提供することにある。
【課題を解決するための手段】
【０００４】
本発明は前記した課題を達成するため、以下の構成にしたことを特徴とする。
１．外装材を架台で支持する外装材架設構造において、前記架台は、上弦材、下弦材、斜材からなる立体トラス構造体からなり、前記立体トラス構造体の上接合部から上受け金具を、下接合部から下受け金具を、それぞれ前記斜材に沿うように延出し、前記対角状の上受け金具と下受け金具とに渡り外装材を架設することを特徴とする。
２．前記した１において、上接合部に、隣接状の外装材上端部に跨る棟部材を、下接合部に、隣接状の外装材下端部に渡る樋部材を、それぞれ配設してあることを特徴とする。
３．前記した１または２において、外装材は、透光性材であることを特徴とする。
【発明の効果】
【０００５】
Ａ．請求項１により、架台を立体トラス構造体にしてあることで、トラス構造体としての特徴点とともに外装材の支持が強固なものになる。そして、外装材によってトラス構造体自体の強度がアップする。
架台を立体トラス構造体とし、外装材をトラス構造体の斜材に沿って架設することが出来るので、架台自体を傾斜させることなく、斜材の傾き角度に応じて、外装材を適宜流れ勾配に設置することができる。
外装材をトラス構造体の斜材に沿って架設してあるので、外装材が架台上すなわち上弦材から上方に突出することがなくなり、外観意匠は、外装材と、この外装材を支持しているトラス構造体における上弦材とで構成されるという従来にない斬新な外観意匠のものになる。
Ｂ．請求項２により、さらに、雨仕舞および排水機能に優れている。
Ｃ．請求項３により、さらに、外装材下側或いは内側を明るくすることが出来る。
【発明を実施するための最良の形態】
【０００６】
架台は、上弦材、下弦材、斜材からなる立体トラス構造体からなり、この立体トラス構造体における上弦材と斜材の接合部位の上接合部から上受け金具を、下弦材と斜材の接合部位の下接合部から下受け金具を、それぞれ前記斜材に沿うように延出し、前記対角状の上受け金具と下受け金具とに渡り外装材を架設する。
かかる外装材は、上下の受け金具への取り付けを原則とするが、外装材の想定荷重条件が低く、斜材の許容荷重が大きい場合には、斜材に固定するようにしても良い。同様に、上弦材、下弦材の許容荷重が大きい場合には、それらに固定しても良い。
上下の受け金具は、立体トラス構造体における上下の各接合部にそれぞれ配設されるピース状の取付金具からなる態様、桁行き方向またはこれに交差する方向等の特定方向の各斜材に跨るようにして上下平行状に配設される長尺状の支持部材からなる態様、立体トラス構造体における上下の各接合部にそれぞれ配設されるピース状の取付金具と、桁行き方向またはこれに交差する方向等の特定方向の前記各取付金具に渡り各斜材を跨るようにして上下平行状に配設される長尺状の支持部材とからなる態様のいずれの態様のものであっても良い。
上下平行状の支持部材は、上下の取付金具に取り付けられるが、斜材に取り付けられても良く、外装材を桁行き方向或いはこれに交差する方向の任意の位置に固定可能にすることで施工性の向上を図っていると共に、上弦材或いは下弦材を補助し得るようにしてある。
外装材は、屋根或いは壁を構成する部材であっても良いし、そうでなくとも良い。屋根である場合、例えば、上部棟部材、下部棟部材、カバー部材、屋根材、樋部材で形成しても良く、下部棟部材が上弦材の働きを兼ねるようにしても良い。また、上部棟部材と下部棟部材間に形成される空間は、上接合部の雨仕舞空間として利用し得るようにしても良いし、そうしなくとも良い。
外装材は、鉄、アルミ、ステンレス等の金属板（化粧鋼板等）、ガラス板、樹脂板、その他の公知の非透水性材からなる。この内、透光性があるのは、ガラス板、樹脂板（代表的にはポリカーボネート製）等である。また、外装材の組合せ例として、透光性のない金属板と透光性がある樹脂板とを併用して形成しても良い。すなわち、全面採光タイプ、部分採光タイプ、全面非採光タイプのいずれにも採用可能である。
【実施例１】
【０００７】
図１には本発明の外装材架設構造における実施の１形態を例示しており、支柱１に渡り横架された架台２は、上弦材３と下弦材４と斜材５からなる立体トラス構造体に形成されている。この立体トラス構造体の架台２における上弦材３と斜材５がボルト１０およびナット１１で接合状態に止着固定された各上接合部６からは上取付金具７が斜め下向きに、下弦材４と斜材５がボルト１２およびナット１３で接合状態に止着固定された各下接合部８からは下取付金具９が斜め上向きに、それぞれ斜材５に沿うように延出されている。
上取付金具７はピース材で、水平状の固定部７ａを上接合部６にボルト１０およびナット１１で固定されており、斜材５に沿うように斜め下向きの右取付部７ｂには上支持部材１４が非透水性および非透光性の屋根材１５上端部ともどもビス１６で止着固定され、同じく斜材５に沿うように斜め下向きの左取付部７ｃには上支持部材１４が非透水性および透光性の屋根材１７上端部ともどもビス１６で止着固定されている。
同様に、下取付金具９はピース材で、水平状の固定部９ａを下接合部８にボルト１２およびナット１３で固定されており、斜材５に沿うように斜め上向きの右取付部９ｂには下支持部材１８が非透水性および透光性の屋根材１７下端部、樋部材１９右端部ともどもビス２０で止着され、同じく斜材５に沿うように斜め上向きの左取付部９ｃには下支持部材１８が非透水性および非透光性の屋根材１５下端部、樋部材１９左端部ともどもビス２０で止着固定されている。
【０００８】
上支持部材１４および下支持部材１８は断面ハット型の長尺状の金属製のもので、上支持部材１４は、桁行き方向の上取付金具７における各右取付部７ｂと各左取付部７ｃにそれぞれ架設され、下支持部材１８は、桁行き方向の下取付金具９における各右取付部９ｂと各左取付部９ｃにそれぞれ架設されており、この桁行き方向に沿い上下平行状で対角状の上支持部材１４と下支持部材１８に跨るようにして屋根材１５、１７が桁行き方向に沿い取り付けられ、非透光性の屋根材１５と透光性の屋根材１７とが左右方向に交互した屋根面意匠に仕上げられている。
【０００９】
桁行き方向の各上接合部６には、桁行き方向に長尺状の上部棟部材２１および下部棟部材２２がそれぞれ跨座状に取り付けられている。上部棟部材２１は断面下向きコ形状の金属製のもので、上接合部６のボルト１０にナット２３、パッキング２４で取り付けられ、左右の側面部２１ａ下端が下部棟部材２２の左右の被取付部２２ａにビス２５でそれぞれ固定されている。下部棟部材２２は上弦材としての働きを兼ねる断面略笠状の金属製のもので、左右の被取付部２２ａには上部棟部材２１の左右の側面部２１ａ下端がビス２５でそれぞれ固定されている。この上部棟部材２１内における下部棟部材２２との間の空間には上接合部雨仕舞空間２６が形成されている。
上下の棟部材２１、２２と屋根材１５および屋根材１７との間には、それぞれ桁行き方向に長尺状のカバー部材２７が配設されており、このカバー部材２７はビス１６で左右の上支持部材１４に止着されて取り付けられていて、これらの上部棟部材２１とカバー部材２７と屋根材１５および屋根材１７と上弦材３とからなる屋根面２８が形成されている。
【００１０】
桁行き方向の各下接合部８上には、桁行き方向に長尺状の樋部材１９が左右の屋根材１５と屋根材１７との下側に渡って配設されている。この樋部材１９は、左右の固定部１９ａがビス２０で下支持部材１８に止着されて取り付けられていて、屋根面２８の谷部を形成し、雨水が桁行き方向の端に流れるようにしてある。
【図面の簡単な説明】
【００１１】
【図１】本発明の外装材架設構造における実施の1形態を例示している縦断正面図。
【図２】部分拡大縦断正面図。
【図３】上接合部周りの部分拡大縦断正面図。
【図４】下接合部周りの部分拡大縦断正面図。
【符号の説明】
【００１２】
１  支柱
２  架台
３  上弦材
４  下弦材
５  斜材
６  上接合部
７  上取付金具（上受け金具）
７ａ、９ａ、１９ａ  固定部
７ｂ、９ｂ  右取付部
７ｃ、９ｃ  左取付部
８  下接合部
９  下取付金具（下受け金具）
１０、１２  ボルト
１１、１３、２３  ナット
１４  上支持部材
１５、１７  屋根材（外装材）
１６、２０、２５  ビス
１８  下支持部材
１９  樋部材
２１  上部棟部材
２１ａ  側面部
２２  下部棟部材
２２ａ  被取付部
２４  パッキング
２６  上接合部雨仕舞空間
２７  カバー部材
２８  屋根面
【図１】
2005290834.tif 000003
【図２】
2005290834.tif 000004
【図３】
2005290834.tif 000005
【図４】
2005290834.tif 000006